【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
委託品在庫管理および調整システムであって、
ａ．売り手から買い手に出荷され、前記買い手の委託品在庫保管場所に置かれている第１の商品と、
ｂ．前記売り手により前記買い手に出荷され、前記売り手により請求書が送られておらず、前記買い手の委託品在庫保管場所にも見つからない、第２の商品と、
ｃ．前記売り手以外の者により前記買い手に出荷され、前記買い手の委託品在庫保管場所には見つかり、前記売り手により前記買い手に委託に基づいて提供される商品と同じＩＤを持つ第３の商品との、
追跡および調整が行われる委託品在庫管理および調整システム。
【請求項２】
前記システムは、さらに、前記第１の商品、前記第２の商品、および前記第３の商品の経過期間も調査する請求項１に記載のシステム。
【請求項３】
商品番号、商品ロット番号、および商品有効期限からなるグループから選択された１つまたは複数の追跡が行われる請求項１に記載のシステム。
【請求項４】
追跡は、取引が処理されるときに必ず実行される請求項３に記載のシステム。
【請求項５】
前記取引は、取引記述および取引額により表される請求項３に記載のシステム。
【請求項６】
前記取引額は、小数点数の０、正数、および負数のうちの１つとすることができる請求項５に記載のシステム。
【請求項７】
前記取引は、請求、使用、処分、返品、トランスファーアウト、受領、トランスファーイン、注文、セット、およびカレントからなるグループから選択された１つまたは複数である請求項４に記載のシステム。
【請求項８】
請求は、前記商品がもはや前記買い手の委託品保管場所にはないが、所有権が前記売り手から前記買い手に譲渡されていない場合に使用される請求項７に記載のシステム。
【請求項９】
使用は、前記買い手がすでに前記商品を使用しており、前記売り手から前記買い手に所有権を譲渡するプロセスが開始されなければならないか、またはすでに競合状態にある場合に使用される請求項７に記載のシステム。
【請求項１０】
処分は、前記商品がもはや前記買い手の委託品保管場所になく、売り手は前記商品を帳簿から抹消しており、所有権は前記売り手から前記買い手に譲渡されない場合に使用される請求項７に記載のシステム。
【請求項１１】
受領は、前記商品が前記売り手から前記買い手の委託品保管場所に物理的に移動されており、所有権は前記売り手から前記買い手に譲渡されない場合に使用される請求項７に記載のシステム。
【請求項１２】
トランスファーインは、前記商品が第三者の場所から前記買い手の委託品保管場所に物理的に移動されており、所有権は前記売り手から前記買い手に譲渡されない場合に使用される請求項７に記載のシステム。
【請求項１３】
前記商品が前記買い手の委託品保管場所から前記売り手に物理的に戻され、所有権は前記売り手から前記買い手に譲渡されない場合に使用される請求項７に記載のシステム。
【請求項１４】
トランスファーアウトは、前記商品が前記買い手の委託品保管場所から第三者の場所に物理的に移動されており、所有権は前記売り手から前記買い手に譲渡されない場合に使用される請求項７に記載のシステム。
【請求項１５】
注文は、前記買い手の（複数の）委託品の数量を増やす結果となっている場合に使用される請求項７に記載のシステム。
【請求項１６】
セットは、前記売り手および前記買い手が合意している商品の数量が前記委託品保管場所にあり、委託品在庫の手持ち数量の出発点として使用される場合に使用される請求項７に記載のシステム。
【請求項１７】
カウントは、前記買い手の委託品保管場所で前記売り手と前記買い手とが同時に前記数量を物理的に見つけ、検証できる場合に使用される請求項７に記載のシステム。
【請求項１８】
調整は、在庫カウントプロセスの後に実行される請求項１に記載のシステム。
【請求項１９】
前記調整では、第２の商品を未請求、第３の商品を過剰として記載し、前記売り手が時間の経過とともに第２の商品および第３の商品の数量を追跡し、委託品在庫のより正確な履歴を提供するようにできる請求項１８に記載のシステム。
【請求項２０】
前記売り手は、前記商品ロット番号および商品有効期限の前記追跡を使用して、前記第１および第２の商品のうちどれが有効期限に迫っているか、したがって調節する必要があるかを判別する請求項３に記載のシステム。
【請求項２１】
前記第１の商品は、複数のカテゴリにまとめられる請求項１に記載のシステム。
【請求項２２】
前記第２の商品は、複数のカテゴリにまとめられる請求項１に記載のシステム。
【請求項２３】
前記第３の商品は、複数のカテゴリにまとめられる請求項１に記載のシステム。
【請求項２４】
調節は、前記複数のカテゴリのうちの１つまたは複数に応じて行われる請求項２１に記載のシステム。
【請求項２５】
在庫総計は、前記第１の商品および前記第２の商品の合計から前記第３の商品を差し引いた結果である請求項１に記載のシステム。
【請求項２６】
委託品在庫管理および調整システムであって、
（ａ）売り手から買い手に出荷され、前記買い手の委託品在庫保管場所に置かれている第１の商品と、
（ｂ）前記売り手により前記買い手に出荷され、前記売り手により請求書が送られておらず、前記買い手の委託品在庫保管場所にも見つからない、第２の商品との、
追跡および調整が行われる委託品在庫管理および調整システム。
【請求項２７】
前記売り手により前記買い手に出荷されておらず、前記買い手の委託品在庫保管場所には見つかり、前記売り手により前記買い手に委託に基づいて提供される商品と同じＩＤを持つ第３の商品の追跡および調整も行われる請求項２６に記載のシステム。
【請求項２８】
（ａ）売り手から買い手に出荷され、前記買い手の委託品在庫保管場所に置かれている第１の商品と、
（ｂ）前記売り手以外の者により前記買い手に出荷され、前記買い手の委託品在庫保管場所には見つかり、前記売り手により前記買い手に委託に基づいて提供される商品と同じＩＤを持つ第３の商品との、
追跡および調整が行われる委託品在庫管理および調整システムであって、
第２の商品も前記買い手の委託品在庫保管場所にて見つけられ得るようになっている、委託品在庫管理および調整システム。
【請求項２９】
前記売り手により前記買い手に出荷され、前記売り手により請求書が送られておらず、前記買い手の委託品在庫保管場所にも見つからない、第２の商品の追跡および調整も行われる請求項２８に記載のシステム。
【請求項３０】
（ａ）前記売り手により前記買い手に出荷され、前記売り手により請求書が送られておらず、前記買い手の委託品在庫保管場所にも見つからない、第２の商品と、
（ｂ）前記売り手以外の者により前記買い手に出荷され、前記買い手の委託品在庫保管場所には見つかり、前記売り手により前記買い手に委託に基づいて提供される商品と同じＩＤを持つ第３の商品との、
追跡および調整が行われる委託品在庫管理および調整システムであって、
第１の商品も前記買い手の委託品在庫保管場所にて見つけられ得るようになっている、委託品在庫管理および調整システム。
【請求項３１】
請求項１に記載のプロセス段階を実行する１つまたは複数の機能をプロセッサに実行させるように構成されているコンピュータプログラムコードを有するコンピュータ使用可能媒体。